(57)【特許請求の範囲】
【請求項１】
端末が、ネットサークにアクセスした後、ダウンリンクチャンネル記述メッセージを受信し、前記ダウンリンクチャンネル記述メッセージに載せられた走査トリガー周期表を取得するステップと、
前記端末が前記走査トリガー周期表に従って周期的に走査をトリガーするステップと、を含む
ことを特徴とする走査方法。
【請求項２】
前記端末が前記走査トリガー周期表に従って周期走査を行った後、
前記端末が周期走査結果に基づいて切替プロセスをトリガーするか否かを確定するステップを更に含む
ことを特徴とする請求項１に記載の方法。
【請求項３】
前記ダウンリンクチャンネル記述メッセージに載せられた走査トリガー周期表が１つまたは複数である
ことを特徴とする請求項１に記載の方法。
【請求項４】
前記走査トリガー周期表は、
測定メトリック種別と、メトリック値と、走査トリガー周期と、前記測定メトリック種別、前記メトリック値、前記走査トリガー周期の間の一対一の対応関係と、を含む
ことを特徴とする請求項１に記載の方法。
【請求項５】
前記測定メトリック種別が搬送波対干渉・雑音比であると、
前記端末が前記走査トリガー周期表に従って周期走査を行うステップは、
前記端末がサービシング基地局のダウンリンク搬送波対干渉・雑音比をモニターすることと、前記端末が、モニターされた前記ダウンリンク搬送波対干渉・雑音比と前記メトリック値とを比較して、比較結果及び前記対応関係に基づいて、対応する走査トリガー周期を確定し、前記走査トリガー周期に従って周期走査を行うことを含む
ことを特徴とする請求項４に記載の方法。
【請求項６】
前記測定メトリック種別が受信信号電力であると、
前記端末が前記走査トリガー周期表に従って周期走査を行うステップは、
前記端末がサービシング基地局のダウンリンク受信信号電力をモニターすることと、前記端末が、モニターされた前記ダウンリンク受信信号電力と前記メトリック値とを比較して、比較結果及び前記対応関係に基づいて、対応する走査トリガー周期を確定し、前記走査トリガー周期に従って周期走査を行うことを含む
ことを特徴とする請求項４に記載の方法。
【請求項７】
前記測定メトリック種別が往復遅延時間であると、
前記端末が前記走査トリガー周期表に従って周期走査を行うステップは、
前記端末がサービシング基地局の往復遅延時間をモニターすることと、
前記端末が、モニターされた前記往復遅延時間と前記メトリック値とを比較して、比較結果及び前記対応関係に基づいて、対応する走査トリガー周期を確定し、前記走査トリガー周期に従って周期走査を行うことを含む
ことを特徴とする請求項４に記載の方法。
【請求項８】
端末がネットワークにアクセスした後、ダウンリンクチャンネル記述メッセージを受信する受信ブロックと、
前記ダウンリンクチャンネル記述メッセージに載せられた走査トリガー周期表を取得する取得ブロックと、
前記走査トリガー周期表に従って周期的に走査をトリガーする走査ブロックと、を備える
ことを特徴とする端末。
【請求項９】
周期走査結果に基づいて、切替プロセスをトリガーするか否かを確定する切替ブロックを更に含む
ことを特徴とする請求項８に記載の端末。
【請求項１０】
前記ダウンリンクチャンネル記述メッセージに載せられた走査トリガー周期表は１つまたは複数であって、及び／または前記走査トリガー周期表が、測定メトリック種別と、メトリック値と、走査トリガー周期と、前記測定メトリック種別、前記メトリック値、前記走査トリガー周期の間の一対一の対応関係と、を含み、前記測定メトリック種別が、搬送波対干渉・雑音比と、受信信号電力と、往復遅延時間とを含む
ことを特徴とする請求項８に記載の端末。
【発明の詳細な説明】
【技術分野】
【０００１】
本発明は、通信領域に関し、具体的に、端末及びその走査方法に関する。
【背景技術】
【０００２】
現在、ワイマックス（Worldwide Interoperability for Microwave Access、以下ＷｉＭＡＸと略称）標準は、電気電子技術者協会（Institute for Electrical and Electronic Engineers、以下ＩＥＥＥと略称）標準化委員会によって定められたブロードバンド無線アクセス標準で、その中、固定ＷｉＭＡＸ標準に比べて、モバイルＷｉＭＡＸ標準は端末の移動性に対する支援、例えば、モバイルＷｉＭＡＸ標準における端末走査及び端末切替メカニズムが増加している。
【０００３】
モバイルＷｉＭＡＸシステムにおいて、端末は、切替を行う前に必ず走査を行ってダウンリンク信号の品質を取得し、その中、走査は同一周波数走査と相違周波数走査とを含み、相違周波数走査について、ＷｉＭＡＸプロトコルには、端末が走査要求/走査応答（ＭＯＢ−ＳＣＮ−ＲＥＱ/ＲＳＰ）メッセージを交換する方式だけで走査協議を求めることが規定された。
【０００４】
現在、走査のトリガー方式は、主に閾値によるトリガーであり、モバイルＷｉＭＡＸ標準のダウンリンクチャンネル記述メッセージ（Downlink Channel Descriptor、以下ＤＣＤと略称）におけるトリガー（Ｔｒｉｇｇｅｒ）パラメーターによって走査の主なトリガー方式が定義され、表１にＴｒｉｇｇｅｒパラメーターにおけるトリガー値、及びトリガー平均周期を示し、表２にＴｒｉｇｇｅｒパラメーターにおける種別/機能/操作を示し、表１及び表２に示すように、Ｔｒｉｇｇｅｒメトリック種別は、搬送波対干渉・雑音比（Carrier to Interference Plus Noise Ratio、以下ＣＩＮＲと略称）と、受信信号電力（Received Signal Strength Indication、以下ＲＳＳＩと略称）と、往復遅延時間（Round Trip Delay、以下ＲＴＤと略称）と、を含むが、これらに限定されない。
【０００５】
【表１】
0005472883.tif 000002
【０００６】
【表２】
0005472883.tif 000003
【０００７】
表１及び表２に示すように、ＷｉＭＡＸプロトコルによると、ＣＩＮＲのメトリック方式は現在サービシング基地局のダウンリンクＣＩＮＲを測定した閾値絶対値トリガー方式によって走査をトリガーし、即ち、端末のサービシング基地局におけるＣＩＮＲが特定のＣＩＮＲ未満または超えた場合、走査をトリガーする。しかし、該方法によると、ソース側のＣＩＮＲのみを考慮しているので、隣接領域のＣＩＮＲがサービシング基地局のＣＩＮＲをかなり超えているが、現在サービシング基地局のＣＩＮＲがまだトリガー閾値に達していない場合、端末は走査を行わなく、ＣＩＮＲが高い隣接領域への切替を行うことができないので、システムのスループットが最適化できないことである。
【発明の概要】
【発明が解決しようとする課題】
【０００８】
関連技術における走査のトリガー方式が閾値によるトリガーのみを使用するによってシステムのスループットが最適化できない問題に鑑み、本発明は関連技術における該問題を解決できる改善された端末走査方法を提供することを目的とする。
【課題を解決するための手段】
【０００９】
上記の目的を実現するため、本発明の一方面によると走査方法を提供している。
【００１０】
本発明に係る走査方法は、端末が、ネットサークにアクセスした後、ダウンリンクチャンネル記述メッセージを受信し、ダウンリンクチャンネル記述メッセージに載せられた走査トリガー周期表を取得するステップと、端末が走査トリガー周期表に従って周期走査を行うステップと、を含む。
【００１１】
端末が走査トリガー周期表に従って周期走査を行った後、端末が周期走査結果に基づいて切替プロセスをトリガーするか否かを確定するステップを更に含むことが好ましい。
【００１２】
ダウンリンクチャンネル記述メッセージに載せられた走査トリガー周期表が１つまたは複数であることが好ましい。
【００１３】
走査トリガー周期表は、測定メトリック種別と、メトリック値と、走査トリガー周期と、測定メトリック種別、メトリック値、走査トリガー周期の間の一対一の対応関係と、を含むことが好ましい。
【００１４】
測定メトリック種別が搬送波対干渉・雑音比であると、端末が走査トリガー周期表に従って周期走査を行うステップは、端末がサービシング基地局のダウンリンク搬送波対干渉・雑音比をモニターすることと、端末が、モニターされたダウンリンク搬送波対干渉・雑音比とメトリック値とを比較して、比較結果及び対応関係に基づいて、対応する走査トリガー周期を確定し、走査トリガー周期に従って周期走査を行うことを含むことが好ましい。
【００１５】
測定メトリック種別が受信信号電力であると、端末が走査トリガー周期表に従って周期走査を行うステップは、端末がサービシング基地局のダウンリンク受信信号電力をモニターすることと、端末が、モニターされたダウンリンク受信信号電力とメトリック値とを比較して、比較結果及び対応関係に基づいて、対応する走査トリガー周期を確定し、走査トリガー周期に従って周期走査を行うことを含むことが好ましい。
【００１６】
測定メトリック種別が往復遅延時間であると、端末が走査トリガー周期表に従って周期走査を行うステップは、端末がサービシング基地局の往復遅延時間をモニターすることと、端末が、モニターされた往復遅延時間とメトリック値とを比較して、比較結果及び対応関係に基づいて、対応する走査トリガー周期を確定し、走査トリガー周期に従って周期走査を行うことを含ことが好ましい。
【００１７】
上記の目的を実現するため、本発明の他の一方面によると、端末を提供している。
【００１８】
本発明に係る端末は、端末がネットワークにアクセスした後、ダウンリンクチャンネル記述メッセージを受信する受信ブロックと、ダウンリンクチャンネル記述メッセージに載せられた走査トリガー周期表を取得する取得ブロックと
走査トリガー周期表に従って周期走査を行う走査ブロックと、を備える。
【００１９】
上記端末は、周期走査結果に基づいて、切替プロセスをトリガーするか否かを確定する切替ブロックを更に含むことが好ましい。
【００２０】
ダウンリンクチャンネル記述メッセージに載せられた走査トリガー周期表は１つまたは複数であって、及び/または、走査トリガー周期表が、測定メトリック種別と、メトリック値と、走査トリガー周期と、測定メトリック種別、メトリック値、走査トリガー周期の間の一対一の対応関係と、を含み、測定メトリック種別が、搬送波対干渉・雑音比と、受信信号電力と、往復遅延時間とを含むことが好ましい。
【００２１】
本発明によると、端末が走査トリガー周期表に従って周期走査を行って、関連技術における走査のトリガー方式が閾値によるトリガーだけを使用するによってシステムのスループットが最適化できない問題を解決して、様々な状況における端末の走査効率を向上でき、システムの性能を向上できる。
【００２２】
本発明の他の特徴及びメリットは明細書において説明し、明細書からさらに明確になり、又は本発明を実施することによって把握できる。本発明の目的及び他のメリットは、発明の詳細な説明、特許請求の範囲、図面に特別に指摘された構造によって実現することができる。
【００２３】
ここで説明する図面は本発明を理解させるためのもので、本発明の一部を構成し、本発明における実施例と共に本発明を解釈し、本発明を不当に限定するのではない。
【図面の簡単な説明】
【００２４】
【図１】は、本発明の実施例に係る走査方法を示すフローチャートである。
【図２】は、本発明の実施例に係わる端末のブロック図である。
【図３】は、本発明の実施例に係わるＷｉＭＡＸ走査切替を示す図である。
【図４】は、本発明の実施例に係わるＣＩＮＲによる周期走査のトリガーを示す図である。
【図５】は、本発明の実施例に係わるＲＳＳＩによる周期走査のトリガーを示す図である。
【図６】は、本発明の実施例に係わるＲＴＤによる周期走査のトリガーを示す図である。
【発明を実施するための形態】
【００２５】
機能の説明
関連技術において、端末の走査のトリガー方式は、閾値によるトリガー方式のみであるが、端末のサービシング基地局の信号品質が悪い場合、トリガー閾値に達していないので、端末は他の信号品質が優れている領域を走査して切り替えることができなく、このような単一のトリガー方式によってシステム性能の最適化を実現できなかった。上記の問題に鑑み、本発明は改善された走査方法を提供し、本発明の技術方案において、端末はネットワークにアクセスした後、ダウンリンクチャンネル記述メッセージを受信し、上記ダウンリンクチャンネル記述メッセージに載せられた走査トリガー周期表を取得し、走査トリガー周期表に従って周期走査を行う。
【００２６】
以下、図面を結合して本発明の好適な実施例を説明する。ここで、以下の好適な実施例は本発明を説明し解釈するもので、本発明はこれらに限定されない。
【００２７】
以下の説明において、本発明を徹底的に解釈するため、複数の特定の細部を説明している。しかし、これらの特定の細部がない場合にも本発明を実現でき、また、特許請求の範囲に記載の精神及び範囲を離脱しない範囲内で以下の実施例及び実施例における各細部を様々の形態に組み合わせることができることは言うまでもない。
【００２８】
方法実施例
本発明の実施例によると、走査方法を提供していて、図１は、本発明の実施例に係る走査方法を示すフローチャートである。図１に示すように、以下のプロセス（ステップＳ１０２-ステップＳ１０４）を含む。
【００２９】
端末は、ネットワークにアクセスした後、ネットワーク側から送信されたＤＣＤメッセージを受信し、該ＤＣＤメッセージに載せられた走査トリガー周期表を取得する（ステップＳ１０２）。
【００３０】
その中、ＤＣＤメッセージにおける走査トリガー周期表（Scan Trigger Period）パラメーターには表３に示す１セットまたは複数セットの走査トリガー周期表が載せられていて、該走査トリガー周期表には、測定メトリック種別と、メトリック値と、走査トリガー周期と、測定メトリック種別、メトリック値、走査トリガー周期の間の一対一の対応関係とが含まれるが、これらに限定されない。端末は該ＤＣＤメッセージから走査トリガー周期表及び走査トリガー周期表におけるパラメーターを取得する。
【００３１】
【表３】
0005472883.tif 000004
【００３２】
端末は取得した走査トリガー周期表に従って周期走査を行って、周期走査の結果に基づいて切替プロセスをトリガーするか否かを確定する（ステップＳ１０４）。
【００３３】
つまり、端末は、システムにより送信された走査トリガー周期に基づいて、採用しようとする周期トリガー走査方式を確定し、その中、走査周期の選択の根拠は様々で、例えば、端末が現在のＣＩＮＲ、ＲＳＳＩ、ＲＴＤパラメーターに基づいて適切な周期を選択して走査トリガーを行うことができる。
【００３４】
具体的には、ステップＳ１０４において、端末は、まず、ステップＳ１０２において取得した１セットまたは複数セットの走査トリガー周期表における測定メトリック種別と、メトリック値と、走査トリガー周期と、測定メトリック種別、メトリック値、走査トリガー周期の間の一対一の対応関係とに基づいて、測定メトリック種別を確定する。測定メトリック種別が異なるによって、次のような三つの種類の状況が存在する。
【００３５】
状況１：端末が１セットまたは複数セットの走査トリガー周期表における測定メトリック種別がいずれもＣＩＮＲであると確定されると、端末は、サービシング基地局のダウンリンクＣＩＮＲをモニターして、モニターされたダウンリンクＣＩＮＲと取得したメトリック値を比較し、比較結果及び取得した対応関係に基づいて、対応する走査トリガー周期を確定して走査周期に従って周期走査を行う必要がある。
【００３６】
状況２：端末が１セットまたは複数セットの走査トリガー周期表における測定メトリック種別がいずれもＲＳＳＩであると確定されると、端末は、サービシング基地局のダウンリンクＲＳＳＩをモニターして、モニターされたダウンリンクＲＳＳＩと取得したメトリック値を比較し、比較結果及び取得した対応関係に基づいて、対応する走査トリガー周期を確定して走査周期に従って周期走査を行う必要がある。
【００３７】
状況３：端末が１セットまたは複数セットの走査トリガー周期表における測定メトリック種別がいずれもＲＴＤであると確定されると、端末は、サービシング基地局のＲＴＤをモニターして、モニターされたＲＴＤと取得したメトリック値を比較し、比較結果及び取得した対応関係に基づいて、対応する走査トリガー周期を確定して走査周期に従って周期走査を行う必要がある。
【００３８】
ここで、実際の応用において、ＤＣＤメッセージには複数セットの走査トリガー周期表が載せられて複数セットの走査トリガー周期表における測定メトリック種別が異なると、端末は、測定メトリック種別に対応する走査トリガー周期の中のどれが小さいかを判定し、走査トリガー周期が小さいである測定メトリック種別を選択する必要がある。
【００３９】
上述の処理により、端末は、走査トリガー周期表に従って周期走査を行うことができるので、単一の閾値によって走査をトリガーすることを防止して、システムのスループットを最適化できる。
【００４０】
装置実施例
本発明の実施例によると、端末を提供していて、図２は本発明の実施例に係る端末のブロック図である。図２に示すように、本発明の実施例に係る端末は、受信ブロック２０と、取得ブロック２２と、走査ブロック２４と、切替ブロック２６と、を備える。
【００４１】
具体的に、本発明の実施例に係る端末において、受信ブロック２０は、端末がネットワークにアクセスした後にＤＣＤメッセージを受信する。具体的には、ネットワーク側から送信されるＤＣＤメッセージにおける走査トリガー周期表（Scan Trigger Period）パラメーターに１セットまたは複数セットの走査トリガー周期表（表１を参照）が載せられ、該走査トリガー周期表は、測定メトリック種別と、メトリック値と、走査トリガー周期と、測定メトリック種別、メトリック値、走査トリガー周期の間の一対一の対応関係とを含むが、これに限定されない。
【００４２】
端末における取得ブロック２２は、受信ブロック２０に接続され、ＤＣＤメッセージに載せられた走査トリガー周期表及びその中のパラメーターを取得するものである。走査ブロック２４は、取得ブロック２２に接続され、走査トリガー周期表に従って走査周期を選択して周期走査を行い、その中、走査周期の選択根拠は様々で、例えば、走査ブロック２４は現在のＣＩＮＲ、ＲＳＳＩ、ＲＴＤパラメーターに基づいて適切な周期を選択して走査トリガーを行うことができるものである。切替ブロック２６は、走査ブロック２４に接続され、周期走査結果に基づいて、切替プロセスをトリガーするか否かを確定するものである。
【００４３】
以下、端末における走査ブロック２４を更に詳しく説明する。走査ブロック２４は、まず、取得ブロック２２により取得された１セットまたは複数セットのトリガー周期表における測定メトリック種別と、メトリック値と、走査トリガー周期と、測定メトリック種別、メトリック値、走査トリガー周期の間の一対一の対応関係とに基づいて、測定メトリック種別を確定し、走査ブロック２４により１セットまたは複数セットの走査トリガー周期表における測定メトリック種別がいずれもＣＩＮＲであると確定されると、走査ブロック２４はサービシング基地局のダウンリンクＣＩＮＲをモニターし、また、モニターされたダウンリンクＣＩＮＲと取得したメトリック値を比較して比較結果及び取得した対応関係に基づいて対応する走査トリガー周期を確定し、走査周期に従って周期走査を行う必要がる。走査ブロック２４により１セットまたは複数セットの走査トリガー周期表における測定メトリック種別がいずれもＲＳＳＩであると確定されると、走査ブロック２４はサービシング基地局のダウンリンクＲＳＳＩをモニターし、また、モニターされたダウンリンクＲＳＳＩと取得したメトリック値を比較して比較結果及び取得した取得した対応関係に基づいて対応する走査トリガー周期を確定し、走査周期に従って周期走査を行う必要がある。走査ブロック２４により１セットまたは複数セットの走査トリガー周期表における測定メトリック種別がいずれもＲＴＤであると確定されると、走査ブロック２４はサービシング基地局のダウンリンクＲＴＤをモニターし、また、モニターされたダウンリンクＲＳＳＩと取得したメトリック値を比較して比較結果及び取得した取得した対応関係に基づいて対応する走査トリガー周期を確定し、走査周期に従って周期走査を行う必要がる。
【００４４】
そして、実際の応用において、ＤＣＤメッセージに複数セットの走査トリガー周期表が載せられ複数セットの走査トリガー周期表における測定メトリック種別が異なると、走査ブロック２４は測定メトリック種別に対応する走査トリガー周期の中のどれが小さいかを判定し、小さい走査トリガー周期を選択して走査を行う。
【００４５】
ここで、特許請求の範囲の精神及び範囲を離脱せずに上記の各ブロックに様々な変更及び組み合わせる行うことができる。
【００４６】
以下、上述の方法実施例及び装置実施例を結合して、本発明に係る技術思想を説明する。図３は、本発明の実施例に係るＷｉＭＡＸ走査切替を示す図である。図３に示すように、３０が本発明の装置実施例に係る端末であり、３２が基地局１であり、３４が基地局２であって、その中、基地局１と基地局２は互いに隣接領域を配置している。
【００４７】
端末３０は、電源が投入された後、自分のサービシング基地局として基地局１を選択してネットワークにアクセスする。端末３０の受信ブロック２０は基地局１から送信されたＤＣＤメッセージを受信してＭＡＣ層の同期を保持し、該ＤＣＤメッセージは１セットまたは複数セットの走査トリガー周期表を含み、各走査トリガー周期表に測定メトリック種別と、メトリック値と、走査トリガー周期などのキーポイントの情報が含まれる。
【００４８】
ＤＣＤメッセージにおけるＳｃａｎ  Ｔｒｉｇｇｅｒ  ＰｅｒｉｏｄパラメーターがＣＩＮＲを測定メトリック種別（Trigger metric Type）として使用してＤＣＤメッセージに三つのＣＩＮＲに基づくＳｃａｎ  Ｔｒｉｇｇｅｒ  Ｐｅｒｉｏｄが配置されていると、端末３０の取得ブロック２２はＤＣＤに載せられたパラメーターに基づいて表４に示すテーブルを取得でき、表４において、ＣＩＮＲ１>ＣＩＮＲ２>ＣＩＮＲ３、Ｐ１>Ｐ２>Ｐ３である。
【００４９】
【表４】
0005472883.tif 000005
【００５０】
端末３０の走査ブロック２４は、サービシング基地局のダウンリンクＣＩＮＲをモニターして、図４に示すように、ＣＩＮＲ>ＣＩＮＲ１の条件を満たす場合に、走査ブロック２４は、Ｐ１を周期として走査プロセスをトリガーし、ＣＩＮＲ２<ＣＩＮＲ<ＣＩＮＲ１の条件を満たす場合に、走査ブロック２４はＰ１を周期として走査プロセスをトリガーし、ＣＩＮＲ３<ＣＩＮＲ<ＣＩＮＲ２の条件を満たす場合に、走査ブロック２４はＰ２を周期として走査プロセスをトリガーし、ＣＩＮＲ<ＣＩＮＲ３の条件を満たす場合に、走査ブロック２４はＰ３を周期として走査プロセスをトリガーする。
【００５１】
ＤＣＤメッセージにおけるＳｃａｎ  Ｔｒｉｇｇｅｒ  ＰｅｒｉｏｄパラメーターがＲＳＳＩを測定メトリック種別（Trigger metric Type）として使用してＤＣＤメッセージに三つのＲＳＳＩに基づくＳｃａｎ  Ｔｒｉｇｇｅｒ  Ｐｅｒｉｏｄが配置されていると、端末３０の取得ブロック２２は、ＤＣＤに載せられたパラメーターに基づいて表５に示すテーブルを取得でき、表５において、ＲＳＳＩ１>ＲＳＳＩ２>ＲＳＳＩ３、Ｐ１>Ｐ２>Ｐ３である。
【００５２】
【表５】
0005472883.tif 000006
【００５３】
端末３０の走査ブロック２４はサービシング基地局のダウンリンクＲＳＳＩをモニターし、図５に示すように、ＲＳＳＩ>ＲＳＳＩ１の条件を満たす場合に、走査ブロック２４はＰ１を周期として走査プロセスをトリガーし、ＲＳＳＩ２< ＲＳＳＩ < ＲＳＳＩ１の条件を満たす場合に、走査ブロック２４はＰ１を周期として走査プロセスをトリガーし、ＲＳＳＩ３< ＲＳＳＩ < ＲＳＳＩ２の条件を満たす場合に、走査ブロック２４はＰ２を周期として走査プロセスをトリガーし、ＲＳＳＩ < ＲＳＳＩ３の条件を満たす場合に、走査ブロック２４はＰ３を周期として走査プロセスをトリガーする。
【００５４】
ＤＣＤメッセージにおけるＳｃａｎ  Ｔｒｉｇｇｅｒ  ＰｅｒｉｏｄパラメーターがＲＴＤを測定メトリック種別（Trigger metric Type）として使用してＤＣＤメッセージに三つのＲＴＤに基づくＳｃａｎ  Ｔｒｉｇｇｅｒ  Ｐｅｒｉｏｄが配置されていると、端末３０の取得ブロック２２はＤＣＤに載せられたパラメーターに基づいて表６に示すテーブルを取得でき、表６において、ＲＴＤ１<ＲＴＤ２<ＲＴＤ３、Ｐ１>Ｐ２>Ｐ３である。
【００５５】
【表６】
0005472883.tif 000007
【００５６】
端末３０の走査ブロック２４は自分とサービシング基地局のＲＴＤをモニターし、図６に示すように、ＲＴＤ<ＲＴＤ１の条件を満たす場合に、走査ブロック２４はＰ１を周期として走査プロセスをトリガーし、ＲＴＤ１<ＲＴＤ<ＲＴＤ２の条件を満たす場合に、走査ブロック２４はＰ１を周期として走査プロセスをトリガーし、ＲＴＤ２<ＲＴＤ<ＲＴＤ３の条件を満たす場合に、走査ブロック２４はＰ２を周期として走査プロセスをとりがーし、ＲＴＤ<ＲＴＤ３の条件を満たす場合に、走査ブロック２４はＰ３を周期として走査プロセスをトリガーする。
【００５７】
走査ブロック２４は、周期トリガー方式に従って走査をトリガーし、走査中に基地局２の信号品質が切替の条件を満たすことが走査されると、端末３０の切替ブロック２６は、切替プロセスを開始する。
【００５８】
上述のように、本発明によると、端末が走査トリガー周期表に従って周期走査を行って、関連技術における走査のトリガー方式が閾値によるトリガー方式のみ使用するによってシステムのスループットが最適化できない問題を解決し、様々な状況における端末の走査効率を向上でき、システムの性能を向上できる。
【００５９】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【符号の説明】
【００６０】
２０  受信ブロック
２２  取得ブロック
２４  走査ブロック
２６  切替ブロック
【図１】
0005472883.tif 000008
【図２】
0005472883.tif 000009
【図３】
0005472883.tif 000010
【図４】
0005472883.tif 000011
【図５】
0005472883.tif 000012
【図６】
0005472883.tif 000013